(57)【要約】      （修正有）【課題】不正利用や表示される情報の漏えいを低減しつつ、コンピュータやシステム等のユーザビリティを向上する技術を提供する。【解決手段】情報処理装置は、無線ＩＣタグからの電波強度を用いて無線ＩＣタグを認識する工程（Ｓ１１）と、無線ＩＣタグから電波により送られた利用者ＩＤ情報を取得する工程（Ｓ１３）と、人体検出センサからの検知情報を用いて人体の存否を認識する工程（Ｓ１５）と、無線ＩＣタグの認識状態と人体の存否の認識状態とに基づいて、ログオフ処理又は取得された利用者ＩＤ情報を用いたログイン処理の実行の要否を判定する工程（Ｓ１７）とを実行可能である。【選択図】図１
2019101589.tif 000002
【特許請求の範囲】
【請求項１】
人体検出センサ及び無線ＩＣタグと交信可能な機器を内蔵する又は接続可能な情報処理装置であって、
前記無線ＩＣタグからの電波強度を用いて無線ＩＣタグを認識するタグ認識工程と、
前記無線ＩＣタグから電波により送られた利用者ＩＤ情報を取得するＩＤ取得工程と、
前記人体検出センサからの検知情報を用いて人体の存否を認識する人体認識工程と、
前記タグ認識工程における無線ＩＣタグの認識状態と前記人体認識工程における人体の存否の認識状態とに基づいて、ログオフ処理又は前記取得された利用者ＩＤ情報を用いたログイン処理の実行の要否を判定する判定工程と、
を含むユーザインタフェースサポート処理を実行可能な情報処理装置。
【請求項２】
前記ログイン処理は、所定対象の状態をログイン状態とし、
前記判定工程では、
無線ＩＣタグが認識されている状態かつ人体の存在が認識されている状態である場合に、前記ログイン処理の実行を決定し、
前記ログイン状態において、認識されていた無線ＩＣタグが認識されなくなりかつ人体の不在が認識された場合に、前記ログオフ処理の実行を決定し、
前記ログイン処理の実行後も継続して人体の存在が認識されている状態において、認識されていた無線ＩＣタグが認識されなくなった場合には、前記ログイン状態を維持させる、
請求項１に記載の情報処理装置。
【請求項３】
前記ログイン処理は、所定対象の状態をログイン状態とし、前記ログオフ処理は、該所定対象の状態を該ログイン状態からログオフ状態とし、
前記タグ認識工程では、
無線ＩＣタグからの設定強度以上の電波強度が設定時間以上継続しているか否かを少なくとも含む条件の成否により、該無線ＩＣタグを認識状態とするか又は該無線ＩＣタグの認識状態を解除し、
前記条件としての前記設定強度及び前記設定時間は、前記ログオフ状態時には第一設定強度及び第一設定時間とされ、前記ログイン状態時には第二設定温度及び第二設定時間とされる、
請求項１又は２に記載の情報処理装置。
【請求項４】
前記人体検出センサからの前記検知情報は、赤外線検出により得られる温度分布情報であり、
前記人体認識工程では、前記温度分布情報において設定温度以上の領域が設定面積以上となっているか否かを少なくとも含む条件の成否により、人体の存否を認識する、
請求項１から３のいずれか一項に記載の情報処理装置。
【請求項５】
前記ログイン処理は、所定対象の状態をログイン状態とし、前記ログオフ処理は、該所定対象の状態を該ログイン状態からログオフ状態とし、
前記人体認識工程で判定される前記条件としての前記設定温度及び前記設定面積は、前記ログオフ状態時には第一設定温度及び第一設定面積とされ、前記ログイン状態時には第二設定温度及び第二設定面積とされる、
請求項４に記載の情報処理装置。
【請求項６】
前記ユーザインタフェースサポート処理は、
前記取得された利用者ＩＤ情報を用いた前記ログイン処理が実行された場合に、該利用者ＩＤ情報を保持するＩＤ保持工程、
を更に含み、
前記判定工程では、
無線ＩＣタグが認識されていないが人体の存在が認識されているため前記ログイン状態が維持されている状態において、前記タグ認識工程で他の無線ＩＣタグが認識された場合には、該他の無線ＩＣタグから取得された利用者ＩＤ情報と前記ＩＤ保持工程で保持されている利用者ＩＤ情報とを比較し、両利用者ＩＤ情報が相違する場合には、利用者へのメッセージ表示を行うか、又は、前記ログオフ処理の実行を決定する、
請求項２に記載の情報処理装置。
【請求項７】
請求項１から６のいずれか一項に記載の情報処理装置の表示装置に着脱自在に装着されるアンテナケースであって、
無線ＩＣタグからの電波を受信可能な平面アンテナを内部に収容し、収容された平面アンテナのアンテナ平面と略平行の前面を有する薄型のケース本体部と、
前記ケース本体部の前記前面から下方又は側方へ突設された平板状の前側突出片と、
前記前側突出片との間で前記表示装置の枠部を後方から挟み、前記前側突出片と前記ケース本体部の底面又は側面とにより前記表示装置に前記ケース本体部を係止可能とする後側突出部と、
を備えるアンテナケース。
【請求項８】
請求項１から６のいずれか一項に記載の情報処理装置に前記ユーザインタフェースサポート処理を実行させるユーザインタフェースサポートプログラム。
【発明の詳細な説明】
【技術分野】
【０００１】
本発明は、コンピュータのユーザインタフェース（以降、ＵＩと略称する場合もある）をサポートする技術に関し、特に、一以上の利用者により断続的に利用されるコンピュータに有用な技術である。
【背景技術】
【０００２】
病院や工場などで稼働する情報システムには複数のコンピュータが端末として接続されており、看護師や製造ライン従事者などはそのコンピュータを断続的に利用する。例えば、看護師は、電子カルテシステムのような病院情報システムに接続されるパーソナルコンピュータ（ＰＣ）を台車に載せて病室を回り、患者の看護を行いながら、ＰＣを用いて患者の状態等の情報を入力する。即ち、看護師は、ＰＣを使っては離れてを繰り返す。
【０００３】
一方で、ＰＣのＯＳ（Operating System）では、動作環境や操作権限等が利用者ごとに管理可能とされている。このような機能はユーザアカウント機能と呼ばれることもある。そのため、ＰＣを利用するためには利用者はＯＳに対してログインする必要があり、自身の動作環境を閉じるためにはＯＳに対してログオフする必要がある。このようなユーザアカウント機能は、ＯＳだけでなく、ＯＳ上で稼働する情報システムにも搭載されている場合もある。この場合、利用者は、情報システムに対してログインすることで情報システムを利用することができるようになる。
【０００４】
従って、コンピュータを断続的に利用する利用者は、その都度、ＩＤ及びパスワード等を入力するログイン操作及びログオフ操作を行うことが求められる。ログオフ操作を怠ると、ユーザアカウントを所有していない第三者によりコンピュータ上の機密情報が不正に閲覧されたり、持ち出されたりする恐れがある。特に、病院情報システムに接続されるＰＣによれば、多数の患者の個人情報が閲覧可能であるため、個人情報の漏えいに繋がる恐れがある。
【０００５】
そこで、下記特許文献１では、このような問題を解決するためのＩＣカードによるコンピュータ自動認識システムが提案されている。このシステムでは、非接触型ＩＣカードを携帯した利用者がコンピュータに近づくと、自動的にＩＣカードの内容を読み取り、読み取られた利用者ＩＤとパスワードとから利用者の正当性が確認されると、コンピュータの電源を投入してその利用者の使用を可能とする。そして利用者の席外しなどにより、ポーリングに対するＩＣカードから応答を受信できない場合には、警告音による電源オフの報知の後、利用者の参照途中の文章や作成途中の文章を保存し、システムは自動的にシャットダウンされる。
【先行技術文献】
【特許文献】
【０００６】
【特許文献１】特開２００２−１５７０５０号公報
【発明の概要】
【発明が解決しようとする課題】
【０００７】
ここで、電磁波（電波）を用いて内蔵メモリの情報を非接触で読み書きする情報媒体は、ＲＦＩＤ（Radio Frequency IDentification）タグ、ＲＦタグ（ＪＩＳで定められた呼び名）、無線タグ、ＩＣタグなどと呼ばれる。本明細書では、そのような情報媒体を無線ＩＣ（Integrated Circuit）タグと表記することとし、その伝送方式（電波方式、電磁誘導方式など）や電力供給方式（パッシブタイプやアクティブタイプなど）などは何ら制限されないものとする。
また、このような無線ＩＣタグと交信を行う機器は、リーダライタ、質問器などと呼ばれるが、本明細書ではそのような機器をリーダライタと表記することとする。本明細書でのリーダライタは、無線ＩＣタグからデータを読み取る機能を少なくとも持てばよく、無線ＩＣタグへデータを書き込む機能は持ってもいても、持っていなくてもよいものとする。
【０００８】
上述のシステムで用いられる無線ＩＣタグ（非接触型ＩＣカード）は、メンテナンスフリーとなるため、パッシブタイプであることが好ましい。しかしながら、パッシブタイプの無線ＩＣタグは、交信距離や交信範囲に制限があり、リーダライタの平面アンテナ（ループアンテナ、コイルアンテナなど）のアンテナ面と直交する方向に対しての無線ＩＣタグの傾き等によって、交信距離が短縮される場合がある。
従って、上述のシステムでは、リーダライタのアンテナと利用者が携帯している無線ＩＣタグとの位置関係や向き等によって、利用者がコンピュータの前にいるにも関わらず、無線ＩＣタグからの応答が受信できず、コンピュータがシャットダウンされてしまう可能性がある。例えば、コンピュータが載置されている台上にリーダライタのアンテナが前方を向いて設置されており、利用者の無線ＩＣタグの携帯位置により、無線ＩＣタグがその台より下方に位置している場合には、無線ＩＣタグとリーダライタとの間の交信ができない場合がある。利用者が無線ＩＣタグを腰の位置に携帯している場合など、このような状態となる可能性が高い。これでは、逆に、コンピュータのユーザビリティが低下する恐れがある。
【０００９】
本発明は、このような事情に鑑みてなされたものであり、不正利用や表示される情報の漏えいを低減しつつ、コンピュータやシステム等のユーザビリティを向上する技術を提供する。
【課題を解決するための手段】
【００１０】
本発明の各側面では、上述した課題を解決するために、それぞれ以下の構成を採用する。
第一の側面は、人体検出センサ及び無線ＩＣタグと交信可能な機器を内蔵する又は接続可能な情報処理装置に関する。第一の側面に係る情報処理装置は、無線ＩＣタグからの電波強度を用いて無線ＩＣタグを認識するタグ認識工程と、無線ＩＣタグから電波により送られた利用者ＩＤ情報を取得するＩＤ取得工程と、人体検出センサからの検知情報を用いて人体の存否を認識する人体認識工程と、タグ認識工程における無線ＩＣタグの認識状態と人体認識工程における人体の存否の認識状態とに基づいて、ログオフ処理又は取得された利用者ＩＤ情報を用いたログイン処理の実行の要否を判定する判定工程と、を含むユーザインタフェースサポート処理を実行可能である。
【００１１】
第二の側面は、情報処理装置の表示装置に着脱自在に装着されるアンテナケースに関する。第二の側面に係るアンテナケースは、無線ＩＣタグからの電波を受信可能な平面アンテナを内部に収容し、収容された平面アンテナのアンテナ平面と略平行の前面を有する薄型のケース本体部と、ケース本体部の前面から下方又は側方へ突設された平板状の前側突出片と、前側突出片との間で表示装置の枠部を後方から挟み、前側突出片とケース本体部の底面又は側面とにより表示装置にケース本体部を係止可能とする後側突出部と、を備える。
【００１２】
なお、本発明の他の側面としては、上記ユーザインタフェースサポート処理を情報処理装置（コンピュータ）に実行させるプログラムであってもよいし、このようなプログラムを記録したコンピュータが読み取り可能な記録媒体であってもよい。
【発明の効果】
【００１３】
上記各側面によれば、不正利用や表示される情報の漏えいを低減しつつ、コンピュータやシステム等のユーザビリティを向上する技術を提供することができる。
【図面の簡単な説明】
【００１４】
【図１】本実施形態に係るユーザインタフェースサポートシステムで実行されるユーザインタフェースサポート処理の概要を示すフローチャートである。
【図２】本実施形態に係るユーザインタフェースサポートシステム（本システム）のハードウェア構成を概念的に示す図である。
【図３】本実施形態に係るユーザインタフェースサポートシステムで実行されるユーザインタフェースサポート処理のメインフローを示すフローチャートである。
【図４】ユーザインタフェースサポート処理の中の無線ＩＣタグの認識処理のフローチャートである。
【図５】ユーザインタフェースサポート処理の中の人体の存否認識処理のフローチャートである。
【図６】変形例に係るユーザインタフェースサポート処理のメインフローを示すフローチャートである。
【図７】リーダライタのアンテナの設置状態を示す模式図である。
【図８】表示装置に装着した状態のアンテナケースを側方から視た図である。
【図９】クリップ部を開いた状態のアンテナケースを下方から視た図である。
【発明を実施するための形態】
【００１５】
以下、本発明の実施の形態について説明する。なお、以下に挙げる実施形態は例示であり、本発明は以下の実施形態の構成に限定されない。
【００１６】
［概要］
本実施形態に係るユーザインタフェースサポートシステム（以降、本システムと表記する場合もある）について説明する前に、本実施形態の概要について図１を用いて説明する。
図１は、本実施形態に係るユーザインタフェースサポートシステムで実行されるユーザインタフェースサポート処理の概要を示すフローチャートである。
本システムは、人体検出センサ及び無線ＩＣタグと交信可能な機器（リーダライタ）を内蔵する又は接続可能な情報処理装置（以降、コンピュータと表記する）を有している。後述の例では、当該コンピュータの一例としてＰＣ端末が例示されている。但し、本システムを構成するコンピュータは、専用コンピュータであってもよい。本システムのハードウェア構成の詳細については後述する。
本システムを構成するコンピュータは、図１に示されるように、大きくは、工程（Ｓ１１）、工程（Ｓ１３）、工程（１５）、及び工程（Ｓ１７）を含むユーザインタフェース処理を実行可能である。
【００１７】
工程（Ｓ１１）は、無線ＩＣタグからの電波強度を用いて無線ＩＣタグを認識するタグ認識工程である。
無線ＩＣタグは、利用者ごとに発行されており、各利用者の利用者ＩＤ情報を格納している。本システムにおいては、無線ＩＣタグは、外側に露出するように利用者に携帯されることが好ましい。例えば、利用者は、首に掛けて、或いは、胸や腰に付けて、無線ＩＣタグを携帯することが望ましい。このようにすれば、ポケット等から無線ＩＣタグを取り出す手間を省くことができると共に、手が塞がっていたとしても無線ＩＣタグを認識させることができる。
【００１８】
また、本実施形態において、無線ＩＣタグの伝送方式（電波方式、電磁誘導方式など）や電力供給方式（パッシブタイプやアクティブタイプなど）などは何ら制限されない。但し、上述したとおり、メンテナンスが不要となることから、パッシブタイプの無線ＩＣタグが利用されることが好ましい。
更に、本実施形態では、電波強度を用いていれば、工程（Ｓ１１）での具体的な認識手法は制限されない。例えば、コンピュータは、内蔵又は外付けされているリーダライタから、無線ＩＣタグの電波強度の情報を取得し、その電波強度が設定強度（閾値）以上となる場合に、その無線ＩＣタグを認識することができる。
【００１９】
工程（Ｓ１３）は、無線ＩＣタグから電波により送られた利用者ＩＤ情報を取得するＩＤ取得工程である。
工程（Ｓ１３）は、工程（Ｓ１１）で認識された無線ＩＣタグに格納されている利用者ＩＤ情報をその無線ＩＣタグから電波を介して取得する。但し、工程（Ｓ１３）の実行タイミングは、工程（Ｓ１１）より前であってもよいし、工程（Ｓ１１）と並行であってもよいし、工程（Ｓ１１）の後であってもよい。
【００２０】
ここで利用者ＩＤ情報は、利用者を識別し得る情報であり、利用者固有の識別情報である。例えば、利用者ＩＤ情報は、ＩＤとパスワードとの組合せであってもよいし、いずれか一方のみであってもよい。また、利用者ＩＤ情報は、本システムを構成するコンピュータのＯＳにログインするのに利用される情報であってもよいし、そのコンピュータを介してアクセスされるシステム（電子カルテシステムや製造ライン情報システムなど）にログインするのに利用される情報であってもよいし、本システム自体にログインするのに利用される情報であってもよい。
【００２１】
工程（Ｓ１５）は、人体検出センサからの検知情報を用いて人体の存否を認識する人体認識工程である。
当該コンピュータに内蔵又は接続される人体検出センサは、人と物とを区別可能な検知情報を得ることができればよく、その具体的な検知手法は制限されない。例えば、センサは、人体の像を撮像可能な可視光カメラであってもよいし、赤外線カメラ又はサーモグラフィであってもよいし、可視光カメラと赤外線カメラとの両方を備えたセンサであってもよい。後述の例では、ＩＲカメラ２が人体検出センサの一具体例として例示されている。
【００２２】
工程（Ｓ１５）では、このような人体検出センサからの検知情報を用いて、人体が存在しているか否かが認識される。ここでは、当該コンピュータを利用している人又は利用可能な状態の人が存在しているか否かが認識できることが好ましい。これによれば、当該コンピュータを使う予定もなくそのコンピュータから離れた位置に立ち止まっている人などを認識対象から外すことができる。
本実施形態では、工程（Ｓ１５）での具体的な認識手法は制限されない。例えば、人体検出センサが可視光カメラである場合には、可視光カメラから得られる画像に対して既存の画像認識技術を用いることで、人体の存否を認識することができる。更に言えば、人体検出センサの画角情報等を更に用いて、人体の存否と共に、人体とセンサとの距離や人体の姿勢を認識することで、当該コンピュータを利用中の人又は利用可能な状態の人が存在するか否かを認識することもできる。また、可視光カメラの撮像画像と共に、赤外線カメラの撮像画像を更に用いて、高精度に人体認識が行われてもよい。
【００２３】
工程（Ｓ１７）は、工程（Ｓ１１）（タグ認識工程）における無線ＩＣタグの認識状態と工程（Ｓ１５）（人体認識工程）における人体の存否の認識状態とに基づいて、ログオフ処理又は工程（Ｓ１３）で取得された利用者ＩＤ情報を用いたログイン処理の実行の要否を判定する判定工程である。
ここで、ログオフ処理とは、一般的なログオフの意味よりもより広範な意味で用いられ、所定対象の状態を利用者が所望の操作を行えないような状態（以降、ログオフ状態と表記）にする処理を意味する。
所定対象は、ユーザインタフェースサポート処理を実行するコンピュータ自体、このコンピュータ上で動作するアプリケーション、このコンピュータを介してアクセス可能なシステム（アプリケーション）等である。
従って、ログオフ処理としては、例えば、ＯＳのログオフ処理又はスリープ処理、ＯＳ上で動作するアプリケーションのログオフ処理又はスリープ処理、当該コンピュータを介してアクセス可能なシステム（アプリケーション）のログオフ処理又はスリープ処理、画面をロックする処理、画面を非表示化（液晶オフや特定色化）等が例示される。
また、ログイン処理とは、一般的なログインの意味よりもより広範な意味で用いられ、当該所定対象の状態を利用者が所望の操作を行えるような状態（以降、ログイン状態と表記）にする処理を意味する。
従って、ログイン処理としては、例えば、ＯＳのログイン処理、ＯＳ上で動作するアプリケーションのログイン処理、当該コンピュータを介してアクセス可能なシステム（アプリケーション）のログイン処理、画面のロックを解除する処理、非表示化された画面の表示処理等が例示される。
【００２４】
このように、本実施形態の概要によれば、ログイン処理又はログオフ処理の実行の要否が、利用者が携帯する無線ＩＣタグの認識状態のみでなく、人体検出センサからの検知情報に基づく人体の存否の認識状態も更に用いて、決定される。
これにより、利用者がコンピュータに近づくことで自動的にログイン処理を行い、コンピュータから離れると自動的にログオフ処理を行うことができるだけでなく、利用者がコンピュータの前にいるにも関わらず、無線ＩＣタグとの交信ができないような場合であっても、不必要にログオフ処理が行われることを回避することができる。
従って、自動ログオフ処理により当該所定対象の不正利用やコンピュータで表示される情報の漏えいを低減しつつ、自動ログイン処理及び不必要なログオフ処理の回避により当該所定対象のユーザビリティを向上させることができる。
【００２５】
以下、上述の概要を踏まえて、本システム１についてより詳細に説明する。
以下の説明では、説明を分かり易くするために、本システム１が電子カルテシステム（病院情報システム）に適用された場合を例に挙げることとする。更に、本システム１でサポートされるログオフ処理及びログイン処理は、電子カルテシステム（所定対象）に対して行われる例を挙げることとする。但し、本システム１は、電子カルテシステム以外のシステムにも適用可能であることは言うまでもない。
なお、概要として既に述べたことについては、同一記載を避けるべく、説明を省略する場合もある。
【００２６】
［システム構成］
図２は、本実施形態に係るユーザインタフェースサポートシステム（本システム）１のハードウェア構成を概念的に示す図である。
本システム１は、ＰＣ端末１０、ＩＲ（InfraRed）カメラ２、リーダライタ５、無線ＩＣタグ（以降、タグと略称する場合がある）２０等により構成される。
ＰＣ端末１０は、主に看護師が利用する端末であり、図２に示されるように、例えば、バスで相互に接続される、ＣＰＵ（Central Processing Unit）１１、メモリ１２、入出力インタフェース（Ｉ／Ｆ）１３、通信ユニット１４等を有する。ＰＣ端末１０を形成する各ハードウェア要素の数はそれぞれ制限されない。また、ＰＣ端末１０は、図２に図示されないハードウェア要素を含んでもよく、そのハードウェア構成は制限されない。
【００２７】
ＣＰＵ１１は、一般的なＣＰＵ以外に、特定用途向け集積回路（ＡＳＩＣ）、ＤＳＰ（Digital Signal Processor）、ＧＰＵ（Graphics Processing Unit）等で構成してもよい。
メモリ１２は、ＲＡＭ（Random Access Memory）、ＲＯＭ（Read Only Memory）、補助記憶装置（ハードディスク等）である。
入出力Ｉ／Ｆ１３は、表示装置１５、入力装置１６等のユーザインタフェース装置と接続可能である。表示装置１５は、ＬＣＤ（Liquid Crystal Display）やＣＲＴ（Cathode Ray Tube）ディスプレイのような、ＣＰＵ１１等により処理された描画データに対応する画面を表示する装置である。入力装置１６は、キーボード、マウス等のようなユーザ操作の入力を受け付ける装置である。表示装置１５及び入力装置１６は一体化され、タッチパネルとして実現されてもよい。
通信ユニット１４は、他のコンピュータとの通信網を介した通信や、他の機器との信号のやりとり等を行う。通信ユニット１４には、可搬型記録媒体等も接続され得る。また、通信ユニット１４に表示装置１５や入力装置１６が接続されてもよい。
【００２８】
本実施形態では、ＩＲカメラ２及びリーダライタ５が通信ユニット１４を介してＰＣ端末１０と接続されている。
ＩＲカメラ２は、上述の人体検出センサの一具体例である。本実施形態では、ＩＲカメラ２は、人体から放射される赤外線を検出することができ、ＰＣ端末１０は、ＩＲカメラ２からその赤外線検出により得られる温度分布情報をＩＲカメラ２の検知情報として逐次、取得することができる。
ＩＲカメラ２から得られる温度分布情報は、ＩＲカメラ２のセンシングエリア内の位置ごとの温度を示す情報である。例えば、当該センシングエリアに対応する二次元平面が所定数の区画に区分けされ、区画ごとの温度が色で表された画像情報が当該温度分布情報として取得される。当該温度分布情報の解像度（温度を示す単位領域の大きさ）は、それ程精密である必要はなく（精密であってもよいが）、ＰＣ端末１０の近くにいる利用者（看護師）の存在を認識できる程度の精密さがあれば十分である。
【００２９】
リーダライタ５は、タグ２０と交信可能な機器であり、アンテナ７を介してタグ２０からの電波を受信して、受信された電波の強度の測定や、受信電波に対する復調及び復号化等を行う。ＰＣ端末１０は、リーダライタ５から、電波の強度情報及び復調等により取得されたタグ２０のユーザＩＤを取得することができる。
本実施形態では、リーダライタ５とアンテナ７とは分離形成されており、両者は配線接続されている。これは、平面型のアンテナ７のアンテナ平面を、ＰＣ端末１０を利用している或いは利用しようとしている態勢にある利用者により携帯されるタグ２０と交信し易い向きに設置できるようにするためである。本実施形態では、これを実現するためのアンテナケースにアンテナ７が収容されている。アンテナケースの詳細については後述する。
なお、ＩＲカメラ２及びリーダライタ５とＰＣ端末１０との接続形式や通信方式については何ら制限されない。
【００３０】
タグ２０は、概要として述べたとおりであるが、本実施形態では、パッシブタイプのタグ２０が利用される。タグ２０は、看護師ごとに発行されており、電子カルテシステムで管理されているアカウントに対応する看護師ごとのユーザＩＤを格納している。タグ２０に格納されるユーザＩＤは、一以上のユーザ識別データである。タグ２０へのユーザＩＤの書き込みは、ＰＣ端末１０によりリーダライタ５を介して行われてもよいし、他の装置により行われてもよい。
【００３１】
［ユーザインタフェースサポート処理］
メモリ１２にユーザインタフェースサポートプログラム（コンピュータプログラム）１８が格納されており、このプログラム１８がＣＰＵ１１にロードされ実行されることで、ＰＣ端末１０は、図３、図４及び図５で示されるユーザインタフェースサポート処理を実行することができる。
更に、ＰＣ端末１０では、電子カルテシステムのユーザ端末として動作するための各種設定が行われている。また、ＰＣ端末１０上で電子カルテシステム専用のプログラムが動作していてもよい。
図３、図４及び図５は、ＰＣ端末１０により実行されるユーザインタフェースサポート処理のフローチャートである。なお、図３、図４及び図５に示される処理フローは、図１に示される処理概要の一具体例である。
【００３２】
図３は、本実施形態に係るユーザインタフェースサポートシステム（ＰＣ端末１０）で実行されるユーザインタフェースサポート処理のメインフローを示すフローチャートである。
ＰＣ端末１０は、無線ＩＣタグの認識フラグ及び人体の存在認識フラグを参照しており、両フラグのいずれか一方でも更新されると（Ｓ３１；ＹＥＳ又はＳ３２；ＹＥＳ）、工程（Ｓ３３）以降を実行する。
無線ＩＣタグの認識フラグは、タグ２０が認識された場合にＯＮ状態（例えば、１がセット）とされ、タグ２０が認識されていない場合にＯＦＦ状態（例えば、０がセット）とされる。タグ２０の認識動作については図４を用いて後述する。
人体の存在認識フラグは、人体の存在が認識された場合にＯＮ状態（例えば、１がセット）とされ、人体の不在が認識された場合（存在が認識されていない場合）にＯＦＦ状態（例えば、０がセット）とされる。人体の存否の認識動作については図５を用いて後述する。
【００３３】
工程（Ｓ３３）では、ＰＣ端末１０は、現在がログオフ状態かログイン状態かを確認する。ここでは、ＰＣ端末１０において、電子カルテシステムへログインしている状態（ログイン状態）か電子カルテシステムへ誰もログインしていない状態（ログオフ状態）かが確認される。この確認は、電子カルテシステムとの連携により行われてもよいし、ＰＣ端末１０内の情報により行われてもよい。
【００３４】
ログオフ状態の場合（Ｓ３３；ＹＥＳ）、ＰＣ端末１０は、無線ＩＣタグの認識フラグ及び人体の存在認識フラグの両方がＯＮ状態となっているか否かを判定する（Ｓ３４）。
ＰＣ端末１０は、いずれか一方でもＯＦＦ状態となっている場合（Ｓ３４；ＮＯ）、工程（Ｓ３５）及び工程（Ｓ３６）を実行せず、処理を終える。
【００３５】
両フラグともＯＮ状態となっている場合（Ｓ３４；ＹＥＳ）、ＰＣ端末１０は、そのときのユーザＩＤを特定し（Ｓ３５）、そのユーザＩＤを用いたログイン処理を実行する（Ｓ３６）。工程（Ｓ３５）で特定されるユーザＩＤは、看護師が携帯するタグ２０から取得されたユーザＩＤであり、このユーザＩＤの取得については図４を用いて後述する。
また、ここで実行されるログイン処理の具体的内容や実現手法はなんら制限されない。例えば、ログイン処理は、電子カルテシステムに対してユーザ認証要求と共にそのユーザＩＤを送信することであってもよい。また、電子カルテシステムから提供されているログイン用のインタフェースへユーザＩＤを渡すことでログイン処理が実現されてもよい。
【００３６】
ログイン状態の場合（Ｓ３３；ＮＯ）、ＰＣ端末１０は、無線ＩＣタグの認識フラグ及び人体の存在認識フラグの両方がＯＦＦ状態となっているか否かを判定する（Ｓ３７）。
ＰＣ端末１０は、いずれか一方でもＯＮ状態となっている場合（Ｓ３７；ＮＯ）、工程（Ｓ３８）を実行せず、処理を終える。
【００３７】
一方、両方ともＯＦＦ状態となっている場合（Ｓ３７；ＹＥＳ）、ＰＣ端末１０は、ログオフ処理を実行する（Ｓ３８）。
ここで実行されるログオフ処理の具体的内容や実現手法はなんら制限されない。例えば、ログオフ処理は、電子カルテシステムに対してログオフ要求を送信することであってもよい。また、電子カルテシステムから提供されているログオフ用のインタフェースを用いてログオフ処理が実現されてもよい。
【００３８】
以上より、当該ユーザインタフェースサポート処理は、無線ＩＣタグ（タグ２０）が認識されている状態かつ人体の存在が認識されている状態である場合に、ログイン処理の実行を決定し、ログイン状態において、認識されていた無線ＩＣタグが認識されなくなりかつ人体の不在が認識された場合に、ログオフ処理の実行を決定し、ログイン処理の実行後も継続して人体の存在が認識されている状態において、認識されていた無線ＩＣタグが認識されなくなった場合には、ログイン状態を維持させると表記することもできる。
看護師は、ＰＣ端末１０を台車に載せて病室を回り、患者の看護を行いながら、ＰＣ端末１０を用いて電子カルテシステムに対して患者の状態等の情報を入力する。看護師がタグ２０をその台車よりも低い位置（例えば腰など）に携帯している場合には、看護師がＰＣ端末１０の前にいるにも関わらず、タグ２０からの電波が所定強度で受信できない場合があり得る。
本実施形態によれば、このような場合であっても、ＩＲカメラ２から得られる温度分布情報に基づいて人体の存在が認識されるため、不必要にログオフ処理が行われることなく、ログイン状態を維持させることができる。結果として、電子カルテシステムのユーザビリティを向上させることができる。
【００３９】
図４は、ユーザインタフェースサポート処理の中の無線ＩＣタグの認識処理のフローチャートである。
ＰＣ端末１０は、図３に示されるメインフローと並行して、図４に示される無線ＩＣタグの認識処理を逐次実行している。図４に示される処理は、例えば、予め決められた周期で実行される。
【００４０】
ＰＣ端末１０は、タグ２０からの電波強度を取得する（Ｓ４１）。この電波強度は、リーダライタ５から得られる情報である。
続いて、ＰＣ端末１０は、現在がログオフ状態かログイン状態かを確認する（Ｓ４２）。工程（Ｓ４２）は、図３に示される工程（Ｓ３３）と同様である。
ここで、ログオフ状態の場合（Ｓ４２；ＹＥＳ）、ＰＣ端末１０は、第一設定強度を設定強度とし、第一設定時間を設定時間とする（Ｓ４３）。
一方、ログイン状態の場合（Ｓ４２；ＮＯ）、ＰＣ端末１０は、第二設定強度を設定強度とし、第二設定時間を設定時間とする（Ｓ４４）。
【００４１】
ここで、第一設定強度及び第二設定強度、並びに、第一設定時間及び第二設定時間は、予め決められた値に固定されていてもよいが、設定変更可能とされることが好ましい。看護師によるタグ２０の携帯位置や方法、或いは、ＰＣ端末１０が載置される台車の高さが病院ごとに異なる等、タグ２０とリーダライタ５との通信環境が病院ごとに異なる可能性があるからである。このため、本システム１が利用される環境に応じて適宜、設定変更することで、タグ２０の認識状況を適正化することができる。例えば、これら情報は、管理者等により編集可能な設定ファイルに格納されていてもよい。この場合、管理者等は、ＰＣ端末１０を操作してその設定ファイル内のそれら情報を変更すればよい。
【００４２】
続いて、ＰＣ端末１０は、工程（Ｓ４１）で取得された電波強度が工程（Ｓ４３）又は工程（Ｓ４４）で設定された設定強度以上であるか否かを判定する（Ｓ４５）。
ＰＣ端末１０は、電波強度が設定強度以上である場合（Ｓ４５；ＹＥＳ）、更に、継続タイマがＯＦＦ状態か否かを判定する（Ｓ４６）。継続タイマがＯＦＦ状態の場合には（Ｓ４６；ＹＥＳ）、ＰＣ端末１０は、継続タイマをＯＮ状態とする（Ｓ４７）。ＯＮ状態とされることで継続タイマは時間計測を開始する。一方で、継続タイマが既にＯＮ状態である場合（Ｓ４６；ＮＯ）、工程（Ｓ４７）は実行されない。
【００４３】
ＰＣ端末１０は、継続タイマの計測時間が工程（Ｓ４３）又は工程（Ｓ４４）で設定された設定時間以上であるか否かを判定する（Ｓ４８）。
継続タイマの計測時間が設定時間以上である場合（Ｓ４８；ＹＥＳ）、ＰＣ端末１０は、無線ＩＣタグの認識フラグをＯＮ状態とし（Ｓ４９）、そのタグ２０から取得されたユーザＩＤを保持する（Ｓ５０）。一方で、継続タイマの計測時間が設定時間未満の場合（Ｓ４８；ＮＯ）、ＰＣ端末１０は、工程（Ｓ４９）及び工程（Ｓ５０）を実行することなく、処理を終える。
工程（Ｓ５０）で保持されるユーザＩＤは、工程（Ｓ４１）で取得された電波強度を有するタグ２０から取得されたユーザＩＤである。このユーザＩＤは、工程（Ｓ４１）において電波強度と共に取得されてもよいし、他のタイミングで取得されてもよい。
【００４４】
また、電波強度が設定強度未満である場合（Ｓ４５；ＮＯ）、ＰＣ端末１０は、継続タイマをＯＦＦ状態とし（Ｓ５１）、無線ＩＣタグの認識フラグをＯＦＦ状態とし（Ｓ５２）、保持されているユーザＩＤをクリアする（Ｓ５３）。なお、言うまでもないが、継続タイマが既にＯＦＦ状態である場合は工程（Ｓ５１）は実行されなくてもよいし、無線ＩＣタグの認識フラグが既にＯＦＦ状態である場合は工程（Ｓ５２）は実行されなくてもよいし、保持されているユーザＩＤがなければ工程（Ｓ５３）は実行されなくてもよい。
【００４５】
このように、無線ＩＣタグの認識処理では、無線ＩＣタグ（タグ２０）からの設定強度以上の電波強度が設定時間以上継続しているか否かを少なくとも含む条件の成否により、その無線ＩＣタグを認識状態とするか又はその無線ＩＣタグの認識状態が解除される。電波強度のみでなく、設定強度以上の電波強度の継続時間を無線ＩＣタグの認識条件とすることで、単にＰＣ端末１０の近くを通っただけの看護師を省き、ＰＣ端末１０を利用しようとしている看護師のタグ２０を正確に認識することができる。
また、ログオフ状態時とログイン状態時とで無線ＩＣタグの認識条件を変えることができるため、ＰＣ端末１０の利用の仕方等に応じて、ログオフ処理及びログイン処理の実行タイミングをそれぞれ適正化することができる。
【００４６】
図４に示される無線ＩＣタグの認識処理は、無線ＩＣタグの認識フラグがＯＮとなるまで、タグ２０ごとにそれぞれ実行されてもよい。この場合、個々のタグ２０は、例えば、工程（Ｓ４１）において電波強度と共に取得されるユーザＩＤ（又はタグ２０自身の識別データであってもよい）によって区別することができる。
また、工程（Ｓ４７）で継続タイマがＯＮ状態とされた以降は、工程（Ｓ４１）では同一のタグ２０からの電波強度が取得されるようにしてもよい。例えば、継続タイマがＯＮ状態とされた場合（Ｓ４７）に、そのときのタグ２０の電波強度と共に取得されたユーザＩＤを保持しておき、工程（Ｓ４１）では、そのユーザＩＤに対応するタグ２０からの電波強度を取得するようにしてもよい。また、工程（Ｓ４１）では、常に、最高強度の電波強度を取得するようにして、その電波強度を有するタグ２０のユーザＩＤを取得し、そのユーザＩＤと前回取得されたタグ２０のユーザＩＤとが一致するか否かを判定し、不一致の場合には、継続タイマをＯＦＦ状態とし、無線ＩＣタグの認識フラグをＯＦＦ状態とし、保持されるユーザＩＤをクリアしてから、工程（Ｓ４２）以降を実行するようにしてもよい。
【００４７】
図５は、ユーザインタフェースサポート処理の中の人体の存否認識処理のフローチャートである。
ＰＣ端末１０は、図３に示されるメインフロー及び図４に示される無線ＩＣタグの認識処理と並行して、図５に示される人体の存否認識処理を逐次実行している。図５に示される処理は、例えば、予め決められた周期で実行される。
【００４８】
ＰＣ端末１０は、ＩＲカメラ２からの温度分布情報を取得する（Ｓ６１）。この温度分布情報は上述したとおりである。例えば、ＩＲカメラ２のセンシングエリアに対応する二次元平面が所定数（例えば６４個）の区画に区分けされ、区画ごとの温度が色で表された画像情報が当該温度分布情報として取得される。
【００４９】
続いて、ＰＣ端末１０は、現在がログオフ状態かログイン状態かを確認する（Ｓ６２）。工程（Ｓ６２）は、図３に示される工程（Ｓ３３）や図４に示される工程（Ｓ４２）と同様である。
ここで、ログオフ状態の場合（Ｓ６２；ＹＥＳ）、ＰＣ端末１０は、第一設定温度を設定温度とし、第一設定面積を設定面積とする（Ｓ６３）。
一方、ログイン状態の場合（Ｓ６２；ＮＯ）、ＰＣ端末１０は、第二設定温度を設定温度とし、第二設定面積を設定面積とする（Ｓ６４）。
【００５０】
設定温度は、工程（Ｓ６１）で取得される温度分布情報で示される単位温度で設定されればよい。例えば、温度分布情報において位置ごとの温度が１０度単位（例えば、１０度以上２０度未満、２０度以上３０度未満等）で示されている場合には、設定温度は、所望の単位温度（例えば、２０度以上３０度未満）で指定されればよい。
設定面積は、工程（Ｓ６１）で取得される温度分布情報で示される温度分布の最小単位（例えば画素）の数で設定されればよい。例えば、所定数の各区画の温度がそれぞれ色で表された画像情報が当該温度分布情報として取得される場合には、その区画の数が面積として扱われればよい。
【００５１】
ここで、第一設定温度及び第二設定温度、並びに、第一設定面積及び第二設定面積は、予め決められた値に固定されていてもよいが、設定変更可能とされることが好ましい。ＩＲカメラ２の設置位置や角度などが病院ごとに異なる可能性があるからである。このため、本システム１が利用される環境に応じて適宜、設定変更することで、人体の存否の認識状況を適正化することができる。例えば、これら情報は、管理者等により編集可能な設定ファイルに格納されていてもよい。この場合、管理者等は、ＰＣ端末１０を操作してその設定ファイル内のそれら情報を変更すればよい。
【００５２】
続いて、ＰＣ端末１０は、工程（Ｓ６１）で取得された温度分布情報において、工程（Ｓ６３）又は工程（Ｓ６４）で設定された設定温度以上の領域（区画）を特定する（Ｓ６５）。
そして、ＰＣ端末１０は、工程（Ｓ６５）で特定された設定温度以上の領域の面積が工程（Ｓ６３）又は工程（Ｓ６４）で設定された設定面積以上であるか否かを判定する（Ｓ６６）。
ＰＣ端末１０は、設定温度以上の領域の面積が設定面積以上である場合（Ｓ６６；ＹＥＳ）、人体の存在認識フラグをＯＮ状態とし（Ｓ６７）、そうでない場合（Ｓ６６；ＮＯ）、人体の存在認識フラグをＯＦＦ状態とする（Ｓ６８）。なお、工程（Ｓ６６）がＹＥＳの場合に、人体の存在認識フラグが既にＯＮ状態となっている場合には工程（Ｓ６７）は実行されなくてもよく、工程（Ｓ６６）がＮＯの場合に、人体の存在認識フラグが既にＯＦＦ状態となっている場合には工程（Ｓ６８）は実行されなくてもよい。
【００５３】
このように、人体の存否認識処理では、ＩＲカメラ２からの温度分布情報において設定温度以上の領域が設定面積以上となっているか否かを少なくとも含む条件の成否により、人体の存否が認識される。設定温度は人体か物体かを区別し得る条件となり、設定面積はＩＲカメラ２との距離を区別し得る条件となり得る。更に言えば、ＩＲカメラ２との距離に応じた温度変化をとらえることができるＩＲカメラ２であれば、設定温度はＩＲカメラ２との距離を区別し得る条件ともなり得る。いずれにしても、設定温度以上の領域が設定面積以上となっているという条件によれば、ＩＲカメラ２のセンシングエリアに人体が存在するか否かという単純な認識ではなく、ＰＣ端末１０を利用している或いはＰＣ端末１０を利用しようとしている人（看護師）の存否を認識することができる。
更に、ログオフ状態時とログイン状態時とで人体の存否の認識条件を変えることができるため、ＰＣ端末１０の利用の仕方等に応じて、ログオフ処理及びログイン処理の実行タイミングをそれぞれ適正化することができる。
【００５４】
また、無線ＩＣタグの認識条件としての第一設定強度と第二設定強度とは同一値とされてもよいし、異なる値とされてもよい。同様に、第一設定時間及び第二設定時間とは同一値とされてもよいし、異なる値とされてもよい。更に、人体の存否認識条件としての第一設定温度と第二設定温度とは同一値とされてもよいし、異なる値とされてもよい。また、第一設定面積と第二設定面積とは同一値とされてもよいし、異なる値とされてもよい。
但し、このような無線ＩＣタグの認識条件及び人体の存否の認識条件の一方又は両方は、ログイン状態時のほうがログオフ状態時よりも成立し易い（緩い）条件とされることが好ましい。例えば、無線ＩＣタグの認識条件において、ログイン状態時に用いられる第二設定強度は、ログオフ状態時に用いられる第一設定強度よりも低く、第二設定時間は第一設定時間よりも短く設定される。また、人体の存否の認識条件において、ログイン状態時に用いられる第二設定温度は、ログオフ状態時に用いられる第一設定温度よりも低く、第二設定面積は第一設定面積よりも小さく設定される。
このような設定とすることで、ログイン状態では無線ＩＣタグの認識フラグ及び人体の存在認識フラグの両方がＯＦＦ状態となることを比較的発生し難くすることができ、ログイン状態を出来るだけ長く維持するよう制御することが可能となる。結果として、ログオフ処理とログイン処理とが頻繁に繰り返されるのを防ぐことができ、ログイン処理及びログオフ処理の実行タイミングを適正化することができる。
【００５５】
［変形例］
上述の説明で用いた複数のフローチャートでは、複数の工程（処理）が順番に記載されているが、本実施形態で実行される工程の実行順序は、その記載の順番に制限されない。本実施形態では、図示される工程の順番を内容的に支障のない範囲で変更することができる。
【００５６】
また、図３に示されるメインフローは、図６に示されるように変形することもできる。
図６は、変形例に係るユーザインタフェースサポート処理のメインフローを示すフローチャートである。
本変形例では、工程（Ｓ７１）、工程（Ｓ７２）、工程（Ｓ７３）、工程（Ｓ７４）、及び工程（Ｓ７５）が図３に示されるメインフローに追加されている。
【００５７】
本変形例では、ＰＣ端末１０は、ログイン処理の実行（Ｓ３６）の後、そのログイン処理で用いられたユーザＩＤをログイン中ユーザＩＤとして保持しておく（Ｓ７１）。工程（Ｓ７１）は、取得された利用者ＩＤ情報を用いたログイン処理が実行された場合に、その利用者ＩＤ情報を保持するＩＤ保持工程といえる。
更に、ログイン状態の場合（Ｓ３３；ＮＯ）、かつ、無線ＩＣタグの認識フラグ及び人体の存在認識フラグの両方がＯＦＦ状態ではない場合（Ｓ３７；ＮＯ）、ＰＣ端末１０は、それら両フラグがＯＮ状態であるか否かを判定する（Ｓ７２）。
【００５８】
ここで両フラグがＯＮ状態である場合（Ｓ７２；ＹＥＳ）、ＰＣ端末１０は、そのときのユーザＩＤを特定し、そのユーザＩＤと工程（Ｓ７１）で保持されたログイン中ユーザＩＤとを比較する（Ｓ７３）。工程（Ｓ７３）は、直近で認識されたタグ２０のユーザＩＤとログイン処理が行われた際に認識されていたタグ２０のユーザＩＤとを比較する工程である。
上述したように、ログイン状態において無線ＩＣタグの認識フラグと人体の存在認識フラグとの両方がＯＦＦ状態とならなければログオフ処理は行われないため、無線ＩＣタグが認識されていないが人体の存在が認識されているためログイン状態が維持される場合があり得る。このような場合に、図４に示された無線ＩＣタグの認識処理により、ログイン処理が行われた際に認識されていたタグ２０が認識されなくなり他のタグ２０が新たに認識される場合がある。例えば、ＰＣ端末１０を利用していた看護師が素早く入れ替わった場合などには、このような状態となり得る。
【００５９】
本変形では、工程（Ｓ７３）の比較により、このような状態が検知される。そして、ユーザＩＤとログイン中ユーザＩＤとが不一致の場合（Ｓ７４；ＹＥＳ）、ＰＣ端末１０は、ログオフ処理を実行する（Ｓ７５）。直近で認識されたタグ２０のユーザＩＤとログイン中ユーザＩＤとが異なるということは、現在、ＰＣ端末１０を利用しようとしている看護師は、現在のログイン状態に対応する看護師とは別人である可能性が高い。本変形例では、このような場合にログオフ処理を実行することで、現在利用しようとしている看護師がログオフ操作を行う手間を省くことができると共に、看護師が別人の看護師としてＰＣ端末１０を利用することが防ぐことができる。
【００６０】
但し、直ちにログオフ処理を実行する（Ｓ７５）のではなく、ＰＣ端末１０の表示装置１５に利用者へのメッセージを表示させるようにしてもよい。例えば、「ユーザＩＤが異なります。ログインし直してください」といったメッセージを表示させることができる。更に言えば、このようなメッセージを表示させた後に、ログオフ処理及び新たなユーザＩＤを用いたログイン処理を順に実行してもよい。
【００６１】
なお、当該両フラグがＯＮ状態でない場合（Ｓ７２；ＮＯ）、即ち、いずれか一方のフラグがＯＮ状態の場合には、ＰＣ端末１０は、工程（Ｓ７３）、工程（Ｓ７４）及び工程（Ｓ７５）を実行せず、処理を終える。また、当該両フラグがＯＮ状態である場合（Ｓ７２；ＹＥＳ）、かつ、ユーザＩＤとログイン中ユーザＩＤとが一致する場合（Ｓ７４；ＮＯ）、工程（Ｓ７５）は実行されない。
【００６２】
このように本変形例では、無線ＩＣタグが認識されていないが人体の存在が認識されているためログイン状態が維持されている状態において、他の無線ＩＣタグが認識された場合には、当該他の無線ＩＣタグから取得された利用者ＩＤ情報と保持されている利用者ＩＤ情報とを比較し、両利用者ＩＤ情報が相違する場合には、利用者へのメッセージ表示を行うか、又は、ログオフ処理の実行を決定する。これにより、現在利用しようとしている利用者がログオフ操作を行う手間を省くことができると共に、利用者が他人としてＰＣ端末１０を利用することが防ぐことができる。
【００６３】
また、図３及び図６で示されるメインフローでは、無線ＩＣタグの認識フラグ及び人体の存在認識フラグのいずれか一方がＯＮ状態で他方がＯＦＦ状態の場合に、ログイン状態が維持されたが、次のように変形することもできる。
例えば、無線ＩＣタグの認識フラグがＯＦＦ状態で人体の存在認識フラグがＯＮ状態の場合には、ログイン状態が維持され（ログオフ処理が実行されず）、無線ＩＣタグの認識フラグがＯＮ状態で人体の存在認識フラグがＯＦＦ状態の場合には、ログオフ処理が実行されるようにしてもよい。これは、人体の存否の認識状況を優先する手法であり、看護師がＰＣ端末１０を利用している状態においてタグ２０からの電波が不安定となるような環境におい有効となる可能性がある。
逆に、看護師がＰＣ端末１０を利用している状態ではタグ２０からの電波が安定している環境においては、無線ＩＣタグの認識フラグがＯＦＦ状態で人体の存在認識フラグがＯＮ状態の場合には、ログオフ処理が実行されるようにしてもよい。このようにすれば、看護師がＰＣ端末１０の前で横を向いた場合等に、ログオフ処理を行うことができ、ひいては、他人に表示情報が漏えいするのを防ぐことができる。
【００６４】
［アンテナケース］
上述したとおり、リーダライタ５のアンテナ７はアンテナケース７０に収容されて設置される。
以下、アンテナ７の設置に関して図７、図８及び図９を用いて説明する。
図７は、アンテナ７の設置状態を示す模式図である。
アンテナケース７０は、アンテナ７を内部に収容した状態で、表示装置１５に着脱自在に装着される。図７の例では、アンテナケース７０は、内部のアンテナ７のアンテナ平面が表示装置１５の表示部１５１と同一方向を向くように、表示装置１５の上部に装着されている。これにより、当該アンテナ平面を、ＰＣ端末１０を利用している或いは利用しようとしている態勢にある利用者により携帯されるタグ２０と交信し易い向きとすることができる。
【００６５】
また、アンテナケース７０は、図７に示されるように、表示装置１５の表示部１５１を隠さないように、表示部１５１の周囲を取り囲む枠部１５２に対して直接装着されている。これにより、アンテナケース７０を装着したとしても、表示装置１５に出力される表示がアンテナケース７０で隠れるのを防ぎ、当該表示が利用者にとって見え難くなるのを防ぐことができる。
【００６６】
以下、アンテナケース７０の具体的構成について図８及び図９を用いて説明する。
図８は、表示装置１５に装着した状態のアンテナケース７０を側方から視た図であり、図９は、クリップ部８０を開いた状態のアンテナケース７０を下方から視た図である。以下の説明では、アンテナケース７０が図７に示されるように表示装置１５の上部に装着された状態における上下方向、左右方向、及び前後方向を用いて、アンテナケース７０の各構成要素の位置関係を説明するものとする。
【００６７】
アンテナケース７０は、ケース本体部７１と、ケース本体部７１の背面側に設けられたクリップ機構とを有する。
ケース本体部７１は、無線ＩＣタグからの電波を受信可能な平面アンテナ（アンテナ７）を内部に収容し、収容されたアンテナ７のアンテナ平面と略平行の前面（前面部７２の主面）を有する。図示される例では、ケース本体部７１は、略正方形の前面及び背面を持つ薄型形状を有している。但し、アンテナ７を内部に収容可能でありかつ表示装置１５に装着可能であれば、ケース本体部７１の形状は限定されない。
【００６８】
前面部７２は、ケース本体部７１の前方の主面（前面）を形成し、その下縁から平板状の二つの前側突出片７５が下方へ突設されている。図示される例では、前面部７２と前側突出片７５とは一連なりの一体物として形成されている。但し、前側突出片７５は、前面部７２に接合されていてもよい。
ここで、前側突出片７５は、上述したとおり、表示装置１５へ装着された状態で、表示装置１５の表示部１５１に覆い被さらないような長さに成形されることが好ましい。
【００６９】
クリップ機構は、いわゆる洗濯バサミ構造を持ち、クリップ部８０と、このクリップ部８０をケース本体部７１の背面に対して搖動自在に連結するヒンジ部８１とにより形成されている。
クリップ部８０は、ケース本体部７１の背面よりは狭い横幅の板状部材であり、ケース本体部７１の底面よりも下方に先端部が突出する状態で支持されている。
クリップ部８０の左右両端部の先端部（下方）側には、前側突出片７５に向う方向（前方）に突出した二つの後側突出片８７が設けられている。二つの後側突出片８７は、側方視で半円状の半円柱形状を有しており、その前方曲面が二つの前側突出片７５の背面と対向するように、設けられている。
【００７０】
ヒンジ部８１は、クリップ部８０の二つの後側突出片８７の間に設けられた二つのクリップ連結片８２と、ケース本体部７１の背面から後方に向けて突設された二つのベース連結片８３とが、二つのクリップ連結片８２と二つのベース連結片８３とを連通する軸孔にヒンジ軸８４を貫通させた状態で、組み合わされることで構成されている。
更に、ヒンジ部８１にはトーションばね８５が設けられており、このトーションばね８５によりクリップ部８０の先端部（後側突出片８７）が前側突出片７５に接近する方向に付勢されている。この付勢力により、後側突出片８７と前側突出片７５とで表示装置１５の枠部１５２を前後方向から強く挟持することができる。ここでは、付勢手段としてトーションばね８５が用いられたが、付勢手段はトーションばねのみに限定されず、様々な付勢手段が利用可能である。
【００７１】
このような構造により、前側突出片７５とクリップ部８０との間に表示装置１５の枠部１５２を挿入し、表示装置１５の上面がケース本体部７１の底面部７３に当接した状態で、前側突出片７５と後側突出片８７との各ペアで表示装置１５の枠部１５２を前後方向でそれぞれ挟持することで、表示装置１５にアンテナケース７０が強固に係止（装着）可能となっている。
また、前側突出片７５の背面、後側突出片８７の前方曲面には緩衝材７６又は緩衝材８８が貼付されており、前側突出片７５と後側突出片８７とはこの緩衝材７６及び緩衝材８８を介して表示装置１５の枠部１５２を挟持する。これにより、表示装置１５の枠部１５２が損傷するのを防ぎながら、緩衝材７６及び緩衝材８８の摩擦力により枠部１５２への係止力を高めている。
【００７２】
また、ケース本体部７１の底面部７３の背面側の左右方向中央付近には、配線孔７４が設けられており、この配線孔７４からアンテナ７とリーダライタ５とを結ぶ配線が挿通される。これにより、アンテナ７の配線を表示装置１５の背面側を通し、リーダライタ５と接続することができる。
このようなアンテナケース７０の素材は、タグ２０との交信で用いる周波数帯の電波を通し、他の周波数帯の電波を吸収するような素材とされることが好ましい。但し、タグ２０との交信で用いる周波数帯の電波を通す素材であれば、アンテナケース７０の素材は制限されない。
【００７３】
また、アンテナケース７０は、表示装置１５の側方に装着されてもよい。この場合には、アンテナケース７０は、前側突出片７５がケース本体部７１の前面部７２の側縁から側方へ突設されている状態で、表示装置１５に装着される。そして、後側突出片８７は、前側突出片７５とケース本体部７１の側面とにより表示装置１５にアンテナケース７０を係止（装着）可能とすることになる。
更に、図８の例では、トーションばね８５により後側突出片８７が付勢されていたが、後側突出片８７は、トーションばね８９のような付勢手段により付勢されていなくてもよい。例えば、後側突出片８７の材料自体の弾性力により、後側突出片８７と前側突出片７５とで表示装置１５の枠部１５２を前後方向から挟持することもできる。
【符号の説明】
【００７４】
１  ユーザインタフェースサポートシステム（本システム）、２  ＩＲカメラ、５  リーダライタ、７  アンテナ、１０  ＰＣ端末、１１  ＣＰＵ、１２  メモリ、１３  入出力Ｉ／Ｆ、１４  通信ユニット、１５  表示装置、１６  入力装置、１８  ユーザインタフェースサポートプログラム、２０  タグ、７０  アンテナケース、７１  ケース本体部、７２  前面部、７３  底面部、７４  配線孔、７５  前側突出片、７６  緩衝材、８０  クリップ部、８１  ヒンジ部、８２  クリップ連結片、８３  ベース連結片、８４  ヒンジ軸、８５  トーションばね、８７  後側突出片、８８  緩衝材、１５１  表示部、１５２  枠部
【図１】
2019101589.tif 000003
【図２】
2019101589.tif 000004
【図３】
2019101589.tif 000005
【図４】
2019101589.tif 000006
【図５】
2019101589.tif 000007
【図６】
2019101589.tif 000008
【図７】
2019101589.tif 000009
【図８】
2019101589.tif 000010
【図９】
2019101589.tif 000011